【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
弾性を有する、第１の装置側端子と第２の装置側端子とが一の列を形成するように設けられた装置側端子群を有する液体噴射装置の装着部に装着可能な液体収容容器であって、
前記第１の装置側端子と接触するべき第１の接触部を含む第１の端子と、前記第２の装置側端子と接触するべき第２の接触部を含む第２の端子と、を含む容器側端子群、を有し、
前記容器側端子群は、回路基板に形成された複数の溝からなり、
前記第１の接触部は、前記複数の溝のうち第１の溝内に設けられ、
前記第２の接触部は、前記複数の溝のうち第２の溝内に設けられ、
前記第１の溝の深さと前記第２の溝の深さは異なる、ことを特徴とする液体収容容器。
【請求項２】
前記装置側端子群は、第３の装置側端子を有し、
前記容器側端子群は、前記第３の装置側端子と接触するべき第３の接触部を含む第３の端子を有し、
前記第１、第２、および第３の接触部を含み、前記装置側端子群のうち対応する端子と接触するべき接触部の集合を接触部群としたとき、
前記第１の接触部および前記第３の接触部は前記接触部群の両側に位置し、
前記第３の接触部は、前記複数の溝のうち第３の溝内に設けられ、
前記第３の溝の深さは前記第２の溝の深さよりも浅い、ことを特徴とする請求項１に記載の液体収容容器。
【請求項３】
前記装置側端子群は、第３の装置側端子を有し、
前記容器側端子群は、前記第３の装置側端子と接触するべき第３の接触部を含む第３の端子を有し、
前記第１、第２、および第３の接触部を含み、前記装置側端子群のうち対応する端子と接触するべき接触部の集合を接触部群としたとき、
前記第１の接触部および前記第３の接触部は前記接触部群の両側に位置し、
前記第３の接触部は、前記複数の溝のうち第３の溝内に設けられ、
第３の溝内に設けられ、前記第３の溝の深さは前記第２の溝の深さよりも深い、ことを特徴とする請求項１に記載の液体収容容器。
【請求項４】
前記第１の溝の深さと前記第３の溝の深さは異なる、ことを特徴とする請求項２または３に記載の液体収容容器。
【請求項５】
前記第１の溝の深さと前記第３の溝の深さは同じである、ことを特徴とする請求項２または３に記載の液体収容容器。
【請求項６】
前記接触部群の接触部が並ぶ方向をＸ方向としたとき、
前記第２の接触部は、前記Ｘ方向において前記接触部群の中心に位置し、
前記第２の接触部を通り、前記Ｘ方向に垂直に交わる仮想線に対して、前記接触部群は対称である、ことを特徴とする請求項２または３に記載の液体収容容器。
【請求項７】
さらに、前記容器側端子群が設けられた回路基板の移動を規制する規制部、を備え、
前記規制部は前記回路基板よりも前記弾性方向側に位置する、ことを特徴とする請求項１乃至６のいずれか一項に記載の液体収容容器。
【手続補正２】
【補正対象書類名】明細書
【補正対象項目名】０００９
【補正方法】変更
【補正の内容】
【０００９】
上記の課題を解決するために、本発明は、弾性を有する、第１の装置側端子と第２の装置側端子とが一の列を形成するように設けられた装置側端子群を有する液体噴射装置の装着部に装着可能な液体収容容器であって、前記第１の装置側端子と接触するべき第１の接触部を含む第１の端子と、前記第２の装置側端子と接触するべき第２の接触部を含む第２の端子と、を含む容器側端子群、を有し、前記容器側端子群は、回路基板に形成された複数の溝からなり、前記第１の接触部は、前記複数の溝のうち第１の溝内に設けられ、前記第２の接触部は、前記複数の溝のうち第２の溝内に設けられ、前記第１の溝の深さと前記第２の溝の深さは異なる、ことを特徴とする。
【手続補正３】
【補正対象書類名】明細書
【補正対象項目名】００１１
【補正方法】変更
【補正の内容】
【００１１】
本発明において、前記装置側端子群は、第３の装置側端子を有し、前記容器側端子群は、前記第３の装置側端子と接触するべき第３の接触部を含む第３の端子を有し、前記第１、第２、および第３の接触部を含み、前記装置側端子群のうち対応する端子と接触するべき接触部の集合を接触部群としたとき、前記第１の接触部および前記第３の接触部は前記接触部群の両側に位置し、前記第３の接触部は、前記複数の溝のうち第３の溝内に設けられ、前記第３の溝の深さは前記第２の溝の深さよりも浅い、ことが望ましい。このようにすると、接触部群の両端で働く弾性力の大きさがいずれも小さいため、回路基板の両端を安定させることが可能になる。従って、回路基板の位置ずれやぐらつきを抑制でき、安定して設置することが可能になる。よって、容器側端子と装置側端子の接触不良を抑制可能な液体収容容器を提供することができる。
【手続補正４】
【補正対象書類名】明細書
【補正対象項目名】００１２
【補正方法】変更
【補正の内容】
【００１２】
本発明において、前記装置側端子群は、第３の装置側端子を有し、前記容器側端子群は、前記第３の装置側端子と接触するべき第３の接触部を含む第３の端子を有し、前記第１、第２、および第３の接触部を含み、前記装置側端子群のうち対応する端子と接触するべき接触部の集合を接触部群としたとき、前記第１の接触部および前記第３の接触部は前記接触部群の両側に位置し、前記第３の接触部は、前記複数の溝のうち第３の溝内に設けられ、第３の溝内に設けられ、前記第３の溝の深さは前記第２の溝の深さよりも深い、ことが望ましい。このようにすると、接触部群の中央で働く弾性力の大きさが小さいため、回路基板の中央を安定させることが可能になる。従って、回路基板の位置ずれやぐらつきを抑制でき、安定して設置することが可能になる。よって、容器側端子と装置側端子の接触不良を抑制可能な液体収容容器を提供する
ことができる。
【手続補正５】
【補正対象書類名】明細書
【補正対象項目名】００１３
【補正方法】変更
【補正の内容】
【００１３】
本発明において、前記第１の溝の深さと前記第３の溝の深さは異なる、ことが望ましい。このようにすると、第１、第２、第３の接触部に働く弾性力の大きさが全て異なるので、回路基板の３箇所にランダムな大きさの付勢力が作用する。従って、回路基板のぐらつきが少なく、安定して設置することが可能になる。よって、容器側端子と装置側端子の接触不良を抑制可能な液体収容容器を提供することができる。
【手続補正６】
【補正対象書類名】明細書
【補正対象項目名】００１４
【補正方法】変更
【補正の内容】
【００１４】
本発明において、前記第１の溝の深さと前記第３の溝の深さは同じ、ことが望ましい。このようにすると、接触部群の両端で働く弾性力の大きさを同じにすることができる。従って、装置側端子からの弾性力に起因する回路基板の回転を抑制可能な液体収容容器を提供することができる。
【手続補正７】
【補正対象書類名】明細書
【補正対象項目名】００１５
【補正方法】変更
【補正の内容】
【００１５】
本発明において、前記接触部群の接触部が並ぶ方向をＸ方向としたとき、前記第２の接触部は、前記Ｘ方向において前記接触部群の中心に位置し、前記第２の接触部を通り、前記Ｘ方向に垂直に交わる仮想線に対して、前記接触部群は対称である、ことが望ましい。このようにすると、接触部群の中心を基準として、弾性力が対称に働く。従って、装置側端子からの弾性力に起因する回路基板の回転を抑制可能な液体収容容器を提供することができる。